(57)【要約】【課題】電気集塵式の空気清浄機は、ほこりや花粉、たばこの煙などの空気中の粒子を帯電させるため、空気清浄機本体周辺の壁面に空気中の粒子が付着し、汚してしまうという従来の空気清浄機を解決するものであり、空気清浄機本体周辺の壁面の汚れを防止でき、また使用者が壁面の汚れを気にすることなく、空気清浄機本体の設置場所を決めることができる空気清浄機を提供することを目的としている。【解決手段】空気清浄機の本体１内に空気を通風させる送風手段としてのファンモーター２と、空気中の粒子を帯電させる荷電部３と、帯電した粒子を捕集する集塵部４と、本体１を設置する空間の壁面との距離を測定する距離測定手段としての超音波センサー５と、ファンモーター２の最大風量を制御する制御部６を備え、壁面との距離に従ってファンモーター２の最大風量を制御することにより、空気清浄機本体周辺の壁面の汚れを防止できる空気清浄機が得られる。【選択図】図１
2008036516.tif 000002
【特許請求の範囲】
【請求項１】
空気の吸込口と吹出口を有する本体と、本体に空気を流通させる送風手段と、空気中の粒子を帯電させる荷電部と、帯電した粒子を捕集する集塵部と、設置空間の壁面との距離を測定する距離測定手段と、前記送風手段の最大風量を制御する制御部を備えた空気清浄機であって、壁面の汚れを防止するようにしたことを特徴とする空気清浄機。
【請求項２】
空気の吸込口と吹出口を有する本体と、本体に空気を流通させる送風手段と、空気中の粒子を帯電させる荷電部と、帯電した粒子を捕集する集塵部と、設置空間の壁面との距離を測定する距離測定手段と、前記送風手段の最大風量を制御する制御部を備えた空気清浄機であって、前記距離測定手段の検出値に応じて、前記制御部は前記送風手段の最大風量を制御することを特徴とする請求項１記載の空気清浄機。
【請求項３】
荷電部への通電を制御する第２の制御部を備え、距離測定手段の検出値に応じて、前記第２の制御部は前記荷電部への通電を制御することを特徴とする請求項１または２記載の空気清浄機。
【請求項４】
送風手段の最大風量を制御する制御部は、距離測定手段の検出値に応じて、段階的に前記送風手段の最大風量を制御することを特徴とする請求項１〜３いずれか記載の空気清浄機。
【請求項５】
距離測定手段の検出値が一定距離以下の場合、第２の制御部は荷電部への通電を遮断するようにしたことを特徴とする請求項３または４記載の空気清浄機。
【請求項６】
距離測定手段の検出値が一定距離以下の場合、送風手段の最大風量を制御する制御部は前記送風手段を停止するようにしたことを特徴とする請求項１〜５いずれか記載の空気清浄機。
【請求項７】
空気中の汚れ成分を検出する汚れ検出手段を備え、前記汚れ検出手段が汚れを検出している間、距離測定手段が距離を測定するようにしたことを特徴とする請求項１〜６いずれか記載の空気清浄機。
【請求項８】
少なくとも２つ以上の距離測定手段を備え、前記距離測定手段はそれぞれ測定方向が違うことを特徴とする請求項１〜７いずれか記載の空気清浄機。
【請求項９】
距離測定手段を本体の背面に備えたことを特徴とする請求項１〜８いずれか記載の空気清浄機。
【請求項１０】
距離測定手段を吸込口と吹出口に備えたことを特徴とする請求項８記載の空気清浄機。
【請求項１１】
報知手段を備え、距離測定手段の検出値が一定距離以下の場合、報知手段により使用者に知らせることを特徴とする請求項１〜１０いずれか記載の空気清浄機。
【請求項１２】
発光表示手段を備え、距離測定手段の検出値が一定距離以下の場合、発光表示手段により使用者に知らせることを特徴とする請求項１〜１１いずれか記載の空気清浄機。
【請求項１３】
距離測定手段の検出値を有効、または無効にできる切替スイッチを備えたことを特徴とする請求項１〜１２いずれか記載の空気清浄機。
【発明の詳細な説明】
【技術分野】
【０００１】
本発明は、ほこりやたばこの煙、花粉など室内の汚染された空気を浄化する電気集塵式の空気清浄機に関するものである。
【背景技術】
【０００２】
従来、この種の空気清浄機は下記に記載されたものが知られている。
【０００３】
以下その空気清浄機について図１４を用いて説明する。図に示すように、空気清浄機本体１０１には、空気中の粒子を帯電させる荷電部１０２と、帯電した粒子を捕集する電気集塵部１０３と、電気集塵部１０３に通風するファンモーター１０４と、このファンモーター１０４を運転制御する制御部１０５を備えている。
【０００４】
上記構成において、荷電部１０２にてマイナス放電を行い、空気中の粒子をマイナスに帯電させ、マイナスに帯電した空気中の粒子をファンモーター１０４が運転することにより、電気集塵部１０３に通風する。電気集塵部１０３でプラス放電を行い、マイナスに帯電した粒子を捕集している（例えば、特許文献１参照）。
【特許文献１】特許第２７６８６２２号公報
【発明の開示】
【発明が解決しようとする課題】
【０００５】
このような従来の空気清浄機では、ほこりや花粉、たばこの煙などの空気中の粒子を帯電させるため、空気清浄機本体周辺の壁面に空気中の粒子が付着し、汚してしまうという課題があり、壁面の汚れを防止することが要求されている。
【０００６】
本発明は、このような従来の課題を解決するものであり、ほこりや花粉、たばこの煙などの空気中の粒子を帯電させるような電気集塵式の空気清浄機において、空気清浄機本体周辺の壁面の汚れを防止でき、また、使用者が壁面の汚れを気にすることなく、空気清浄機本体の設置場所を決めることができる使い勝手の良い空気清浄機を提供することを目的としている。
【課題を解決するための手段】
【０００７】
本発明の空気清浄機は上記目的を達成するために、空気の吸込口と吹出口を有する本体と、本体に空気を流通させる送風手段と、空気中の粒子を帯電させる荷電部と、帯電した粒子を捕集する集塵部と、設置空間の壁面との距離を測定する距離測定手段と、前記送風手段の最大風量を制御する制御部を備え、壁面の汚れを防止するようにしたものである。
【０００８】
この手段により空気清浄機本体周辺の壁面の汚れを防止でき、また、使用者が壁面の汚れを気にすることなく、空気清浄機本体の設置場所を決めることができる使い勝手の良い空気清浄機が得られる。
【０００９】
また、空気の吸込口と吹出口を有する本体と、本体に空気を流通させる送風手段と、空気中の粒子を帯電させる荷電部と、帯電した粒子を捕集する集塵部と、設置空間の壁面との距離を測定する距離測定手段と、前記送風手段の最大風量を制御する制御部を備え、前記距離測定手段の検出値に応じて、前記制御部は前記送風手段の最大風量を制御するようにしたものである。
【００１０】
この手段により空気清浄機本体周辺の壁面の汚れを防止でき、また、使用者が壁面の汚れを気にすることなく、空気清浄機本体の設置場所を決めることができる使い勝手の良い空気清浄機が得られる。
【００１１】
また、本発明の空気清浄機は上記目的を達成するために、荷電部への通電を制御する第２の制御部を備え、距離測定手段の検出値に応じて、前記第２の制御部は前記荷電部への通電を制御するようにしたものである。
【００１２】
この手段により空気清浄機本体周辺の壁面の汚れを防止でき、また、使用者が壁面の汚れを気にすることなく、空気清浄機本体の設置場所を決めることができる使い勝手の良い空気清浄機が得られる。
【００１３】
また、本発明の空気清浄機は上記目的を達成するために、送風手段の最大風量を制御する制御部は、距離測定手段の検出値に応じて、段階的に前記送風手段の最大風量を制御するようにしたものである。
【００１４】
この手段により空気清浄機本体周辺の壁面の汚れを防止でき、また、使用者が壁面の汚れを気にすることなく、空気清浄機本体の設置場所を決めることができる使い勝手の良い空気清浄機が得られる。
【００１５】
また、本発明の空気清浄機は上記目的を達成するために、距離測定手段の検出値が一定距離以下の場合、第２の制御部は荷電部への通電を遮断するようにしたものである。
【００１６】
この手段により空気清浄機本体周辺の壁面の汚れを防止でき、また、使用者が壁面の汚れを気にすることなく、空気清浄機本体の設置場所を決めることができる使い勝手の良い空気清浄機が得られる。
【００１７】
また、本発明の空気清浄機は上記目的を達成するために、距離測定手段の検出値が一定距離以下の場合、送風手段の最大風量を制御する制御部は前記送風手段を停止するようにしたものである。
【００１８】
この手段により空気清浄機本体周辺の壁面の汚れを防止でき、また、使用者が壁面の汚れを気にすることなく、空気清浄機本体の設置場所を決めることができる使い勝手の良い空気清浄機が得られる。
【００１９】
また、本発明の空気清浄機は上記目的を達成するために、空気中の汚れ成分を検出する汚れ検出手段を備え、前記汚れ検出手段が汚れを検出している間、距離測定手段が距離を測定するようにしたものである。
【００２０】
この手段により空気清浄機本体周辺の壁面の汚れを防止でき、また、使用者が壁面の汚れを気にすることなく、空気清浄機本体の設置場所を決めることができる使い勝手の良い空気清浄機が得られる。
【００２１】
また、本発明の空気清浄機は上記目的を達成するために、少なくとも２つ以上の距離測定手段を備え、前記距離測定手段はそれぞれ測定方向が違うようにしたものである。
【００２２】
この手段により空気清浄機本体と壁面との位置関係を把握することができ、空気清浄機本体周辺の壁面の汚れを防止できる空気清浄機が得られる。
【００２３】
また、本発明の空気清浄機は上記目的を達成するために、距離測定手段を本体の背面に備えるようにしたものである。
【００２４】
この手段により空気清浄機本体周辺の壁面のみを検出でき、空気清浄機本体周辺の壁面の汚れを防止できる空気清浄機が得られる。
【００２５】
また、本発明の空気清浄機は上記目的を達成するために、距離測定手段を吸込口と吹出口に備えるようにしたものである。
【００２６】
この手段により帯電した空気中の粒子が付着する恐れのある壁面を精度良く検出でき、空気清浄機本体周辺の壁面の汚れを防止できる空気清浄機が得られる。
【００２７】
また、本発明の空気清浄機は上記目的を達成するために、報知手段を備え、距離測定手段の検出値が一定距離以下の場合、報知手段により使用者に知らせるようにしたものである。
【００２８】
この手段により空気清浄機本体の設置場所が、空気清浄機本体周辺の壁面を汚す恐れのある距離であることを使用者に知らせることができる使い勝手の良い空気清浄機が得られる。
【００２９】
また、本発明の空気清浄機は上記目的を達成するために、発光表示手段を備え、距離測定手段の検出値が一定距離以下の場合、発光表示手段により使用者に知らせるようにしたものである。
【００３０】
この手段により空気清浄機本体の設置場所が、空気清浄機本体周辺の壁面を汚す恐れのある距離であることを使用者に知らせることができる使い勝手の良い空気清浄機が得られる。
【００３１】
また、本発明の空気清浄機は上記目的を達成するために、距離測定手段の検出値を有効または無効にできる切替スイッチを備えるようにしたものである。
【００３２】
この手段により使用者が距離測定手段の検出値に応じて、送風手段の最大風量や荷電部の通電を制御するか否かを選択することのできる空気清浄機が得られる。
【発明の効果】
【００３３】
本発明によれば、空気の吸込口と吹出口を有する本体と、本体に空気を流通させる送風手段と、空気中の粒子を帯電させる荷電部と、帯電した粒子を捕集する集塵部と、設置空間の壁面との距離を測定する距離測定手段と、前記送風手段の最大風量を制御する制御部を備え、壁面の汚れを防止することにより、空気清浄機本体周辺の壁面の汚れを防止でき、また、使用者が壁面の汚れを気にすることなく、空気清浄機本体の設置場所を決めることができる使い勝手の良い空気清浄機が得られる。
【００３４】
また、空気の吸込口と吹出口を有する本体と、本体に空気を流通させる送風手段と、空気中の粒子を帯電させる荷電部と、帯電した粒子を捕集する集塵部と、設置空間の壁面との距離を測定する距離測定手段と、前記送風手段の最大風量を制御する制御部を備え、前記距離測定手段の検出値に応じて、前記制御部は前記送風手段の最大風量を制御することにより、空気清浄機本体周辺の壁面の汚れを防止でき、また、使用者が壁面の汚れを気にすることなく、空気清浄機本体の設置場所を決めることができる使い勝手の良い空気清浄機を提供できる。
【００３５】
また、荷電部への通電を制御する第２の制御部を備え、距離測定手段の検出値に応じて、前記第２の制御部は前記荷電部への通電を制御することにより、空気清浄機本体周辺の壁面の汚れを防止でき、また、使用者が壁面の汚れを気にすることなく、空気清浄機本体の設置場所を決めることができる使い勝手の良い空気清浄機を提供できる。
【００３６】
また、送風手段の最大風量を制御する制御部は、距離測定手段の検出値に応じて、段階的に前記送風手段の最大風量を制御することにより、空気清浄機本体周辺の壁面の汚れを防止でき、また、使用者が壁面の汚れを気にすることなく、空気清浄機本体の設置場所を決めることができる使い勝手の良い空気清浄機を提供できる。
【００３７】
また、距離測定手段の検出値が一定距離以下の場合、第２の制御部は荷電部への通電を遮断することにより、空気清浄機本体周辺の壁面の汚れを防止でき、また、使用者が壁面の汚れを気にすることなく、空気清浄機本体の設置場所を決めることができる使い勝手の良い空気清浄機を提供できる。
【００３８】
また、距離測定手段の検出値が一定距離以下の場合、送風手段の最大風量を制御する制御部は前記送風手段を停止することにより、空気清浄機本体周辺の壁面の汚れを防止でき、また、使用者が壁面の汚れを気にすることなく、空気清浄機本体の設置場所を決めることができる使い勝手の良い空気清浄機を提供できる。
【００３９】
また、空気中の汚れ成分を検出する汚れ検出手段を備え、前記汚れ検出手段が汚れを検出している間、距離測定手段が距離を測定することにより、空気清浄機本体周辺の壁面の汚れを防止でき、また、使用者が壁面の汚れを気にすることなく、空気清浄機本体の設置場所を決めることができる使い勝手の良い空気清浄機を提供できる。
【００４０】
また、少なくとも２つ以上の距離測定手段を備え、前記距離測定手段はそれぞれ測定方向が違うようにすることにより、空気清浄機本体と壁面との位置関係を把握することができ、空気清浄機本体周辺の壁面の汚れを防止できるという効果のある空気清浄機を提供できる。
【００４１】
また、距離測定手段を本体の背面に備えることにより、空気清浄機本体周辺の壁面のみを検出でき、空気清浄機本体周辺の壁面の汚れを防止できるという効果のある空気清浄機を提供できる。
【００４２】
また、距離測定手段を吸込口と吹出口に備えることにより、帯電した空気中の粒子が付着する恐れのある壁面を精度良く検出でき、空気清浄機本体周辺の壁面の汚れを防止できるという効果のある空気清浄機を提供できる。
【００４３】
また、報知手段を備え、距離測定手段の検出値が一定距離以下の場合、報知手段により使用者に知らせることにより、空気清浄機本体の設置場所が、空気清浄機本体周辺の壁面を汚す恐れのある距離であることを使用者に知らせることができる使い勝手の良い空気清浄機を提供できる。
【００４４】
また、発光表示手段を備え、距離測定手段の検出値が一定距離以下の場合、発光表示手段により使用者に知らせることにより、空気清浄機本体の設置場所が、空気清浄機本体周辺の壁面を汚す恐れのある距離であることを使用者に知らせることができる使い勝手の良い空気清浄機を提供できる。
【００４５】
また、距離測定手段の検出値を有効または無効にできる切替スイッチを備えることにより、使用者が距離測定手段の検出値に応じて、送風手段の最大風量や荷電部の通電を制御するか否かを選択することのできるという効果のある空気清浄機を提供できる。
【発明を実施するための最良の形態】
【００４６】
本発明の請求項１記載の発明は、空気の吸込口と吹出口を有する本体と、本体に空気を流通させる送風手段と、空気中の粒子を帯電させる荷電部と、帯電した粒子を捕集する集塵部と、設置空間の壁面との距離を測定する距離測定手段と、前記送風手段の最大風量を制御する制御部を備え、壁面の汚れを防止するようにしたものであり、空気清浄機本体周辺の壁面の汚れを防止でき、また、使用者が壁面の汚れを気にすることなく、空気清浄機本体の設置場所を決めることができる使い勝手が向上するという作用を有する。
【００４７】
また、空気の吸込口と吹出口を有する本体と、本体に空気を流通させる送風手段と、空気中の粒子を帯電させる荷電部と、帯電した粒子を捕集する集塵部と、設置空間の壁面との距離を測定する距離測定手段と、前記送風手段の最大風量を制御する制御部を備え、前記距離測定手段の検出値に応じて、前記制御部は前記送風手段の最大風量を制御するようにしたものであり、帯電した粒子を運ぶ風が壁面まで届かないように最大風量を制御することで、空気清浄機本体周辺の壁面の汚れを防止でき、また、使用者が壁面の汚れを気にすることなく、空気清浄機本体の設置場所を決めることができる使い勝手が向上するという作用を有する。
【００４８】
また、荷電部への通電を制御する第２の制御部を備え、距離測定手段の検出値に応じて、前記第２の制御部は前記荷電部への通電を制御するようにしたものであり、壁面までの距離に従って帯電した空気中の粒子量を減衰させて、空気清浄機本体周辺の壁面の汚れを防止でき、また、使用者が壁面の汚れを気にすることなく、空気清浄機本体の設置場所を決めることができる使い勝手が向上するという作用を有する。
【００４９】
また、送風手段の最大風量を制御する制御部は、距離測定手段の検出値に応じて、段階的に前記送風手段の最大風量を制御するようにしたものであり、帯電した粒子を運ぶ風が壁面まで届かないように最大風量を段階的に制御することで、空気清浄機本体周辺の壁面の汚れを防止でき、また、使用者が壁面の汚れを気にすることなく、空気清浄機本体の設置場所を決めることができる使い勝手が向上するという作用を有する。
【００５０】
また、距離測定手段の検出値が一定距離以下の場合、第２の制御部は荷電部への通電を遮断するようにしたものであり、壁面までの距離が近い場合に帯電した空気中の粒子量を減衰させて、空気清浄機本体周辺の壁面の汚れを防止でき、また、使用者が壁面の汚れを気にすることなく、空気清浄機本体の設置場所を決めることができる使い勝手が向上するという作用を有する。
【００５１】
また、距離測定手段の検出値が一定距離以下の場合、送風手段の最大風量を制御する制御部は前記送風手段を停止するようにしたものであり、壁面までの距離が近い場合は帯電した粒子を壁面に付着させないよう送風手段を停止することで、空気清浄機本体周辺の壁面の汚れを防止でき、また、使用者が壁面の汚れを気にすることなく、空気清浄機本体の設置場所を決めることができる使い勝手が向上するという作用を有する。
【００５２】
また、空気中の汚れ成分を検出する汚れ検出手段を備え、前記汚れ検出手段が汚れを検出している間、距離測定手段が距離を測定するようにしたものであり、空気中にほこりが有る場合に送風手段や荷電部を制御することで、空気清浄機本体周辺の壁面の汚れを防止でき、また、使用者が壁面の汚れを気にすることなく、空気清浄機本体の設置場所を決めることができる使い勝手が向上するという作用を有する。
【００５３】
また、少なくとも２つ以上の距離測定手段を備え、前記距離測定手段はそれぞれ測定方向が違うようにしたものであり、２つ以上の方向の距離を測定し壁面との最短距離を測定することで、空気清浄機本体と壁面との位置関係を把握することができ、空気清浄機本体周辺の壁面の汚れを防止できるという作用を有する。
【００５４】
また、距離測定手段を本体の背面に備えるようにしたものであり、空気清浄機本体周辺の壁面のみを検出でき、空気清浄機本体周辺の壁面の汚れを防止できるという作用を有する。
【００５５】
また、距離測定手段を吸込口と吹出口に備えるようにしたものであり、帯電した空気中の粒子が付着する恐れのある壁面を精度良く検出でき、空気清浄機本体周辺の壁面の汚れを防止できるという作用を有する。
【００５６】
また、報知手段を備え、距離測定手段の検出値が一定距離以下の場合、報知手段により使用者に知らせるようにしたものであり、空気清浄機本体の設置場所が、空気清浄機本体周辺の壁面を汚す恐れのある距離であることを使用者に知らせることができるという作用を有する。
【００５７】
また、発光表示手段を備え、距離測定手段の検出値が一定距離以下の場合、発光表示手段により使用者に知らせるようにしたものであり、空気清浄機本体の設置場所が、空気清浄機本体周辺の壁面を汚す恐れのある距離であることを使用者に知らせることができるという作用を有する。
【００５８】
また、距離測定手段の検出値を有効または無効にできる切替スイッチを備えるようにしたものであり、使用者が距離測定手段の検出値に応じて、送風手段の最大風量や荷電部の通電を制御するか否かを選択することのできるという作用を有する。
【００５９】
以下、本発明の実施の形態について図面を参照しながら説明する。
【００６０】
（実施の形態１）
図１〜図４に示すように、空気の吸込口と吹出口を有する空気清浄機の本体１は略箱形に形成され、本体１内には空気を通風させる送風手段としてのファンモーター２と、空気中の粒子を帯電させる荷電部３と、帯電した粒子を捕集する集塵部４と、本体１を設置する空間の壁面との距離を測定する距離測定手段としての超音波センサー５と、超音波センサー５の検出値を演算処理するマイクロコンピュータａ７を備えたファンモーター２の最大風量を制御する制御部６が備えられている。さらに、超音波センサー５の検出値を演算処理するマイクロコンピュータｂ９を備えた荷電部３への通電を制御する第２の制御部８を設けている。
【００６１】
吹出口で荷電部３がマイナス放電を行い、空気中の粒子をマイナスに帯電させ、ファンモーター２により、マイナスに帯電した粒子を集塵部４に通風する。集塵部４にてプラス放電を行い、マイナスに帯電した粒子を捕集している。
【００６２】
上記構成に置いて、図２、図３（イ）に示すように超音波センサー５の検出値である電圧をマイクロコンピュータａ７が距離に演算処理する。演算処理の一例として、超音波センサー５の出力がＤＣ１〜５Ｖ、測定可能距離が１０ｍｍ〜１００ｍｍの場合、ＤＣ１Ｖで距離は１０ｍｍ、ＤＣ５Ｖで距離は１００ｍｍとなり、比例関係にある。壁面までの距離が５０ｃｍ以上の場合はファンモーター２の運転可能な最大風量をターボノッチとするように制御部６が制御する。壁面までの距離が４０ｃｍ以上５０ｃｍ未満の場合は、ファンモーター２の運転可能な最大風量を急速ノッチとするように制御部６が制御する。壁面までの距離が３０ｃｍ以上４０ｃｍ未満の場合は、ファンモーター２の運転可能な最大風量を中ノッチとするように制御部６が制御する。壁面までの距離が３０ｃｍ未満の場合はファンモーター２の運転可能な最大風量を弱ノッチとするように制御部６が制御する。また、図３の（ロ）のように、超音波センサー５の検出した距離が一定距離以下、例えば２０ｃｍ以下の場合はファンモーター２を停止するように制御部６が制御する。また、図３の（ハ）のように、超音波センサー５の検出した距離が一定距離、例えば５０ｃｍを境に５０ｃｍ未満はファンモーター２を停止させ、５０ｃｍ以上はファンモーターの運転可能な最大風量をターボノッチとするように制御部６が制御する。また、図４（イ）に示すように超音波センサー５の検出値をマイクロコンピュータｂ９が演算処理し、壁面までの距離が４０ｃｍ以上の場合は荷電部３への通電を連続通電とし、４０ｃｍ未満の場合は荷電部３への通電を間欠通電とするように第２の制御部８が制御する。また、図４の（ロ）に示すように超音波センサー５の検出した距離が一定距離以下、例えば２０ｃｍ以下の場合は荷電部３への通電を遮断するように第２の制御部８が制御する。
【００６３】
このように本体１と壁面との距離に従って荷電部３への通電やファンモーター２の最大風量を変更することで、空気清浄機本体周辺の壁面の汚れを防止できる。
【００６４】
また、使用者が壁面の汚れを気にすることなく、空気清浄機本体の設置場所を決めることができる。
【００６５】
なお、実施の形態１では壁面としたが、タンスなどの障害物でもよく、その作用効果に差異を生じない。
【００６６】
なお、実施の形態１では一定距離を２０ｃｍや５０ｃｍとしたが、ファンモーター２の風が壁面に届く距離を一定距離として制御しても、その作用効果に差異を生じない。
【００６７】
（実施の形態２）
実施の形態１と同一部分は同一符号を付し詳しい説明は省略する。図５に示すように、汚れ検出手段としてのほこりセンサー１０を設け、空気中のほこりをほこりセンサー１０で検出し、ほこりセンサー１０の検出値をマイクロコンピュータａ７が演算処理する。さらに、超音波センサー５の検出値もマイクロコンピュータａ７が演算処理し、制御部６がファンモーター２の最大風量を制御する。また図７に示すように、ほこりセンサー１０の検出値をマイクロコンピュータｂ９が演算処理する。さらに、超音波センサー５の検出値もマイクロコンピュータｂ９が演算処理し、第２の制御部８が荷電部３への通電を制御する。
【００６８】
上記構成において、図６に示すフローチャートの各ステップに番号を付けて説明する。ステップ１１で電源が投入されると、運転停止状態の待機モードとなる。ステップ１２で運転する場合はファンモーター２の最大風量を制御しない通常運転を行う。ステップ１３で通常運転中にほこりセンサー１０の検出値をマイクロコンピュータａ７が演算処理し、ほこりを検出しているのであれば、ステップ１４で超音波センサー５の検出値をマイクロコンピュータａ７が演算処理し、壁面までの距離を測定する。ステップ１５で制御部６が壁面までの距離に従って、図３に示すようなファンモーター２の最大風量を制御する。ステップ１３でほこりを検出していなければステップ１２に戻り、通常運転を行う。次に図８のフローチャートの各ステップに番号を付けて説明する。ステップ１６で電源が投入されると、運転停止状態の待機モードとなる。ステップ１７で運転する場合は荷電部３への通電を制御しない通常運転を行う。ステップ１８で通常運転中にほこりセンサー１０の検出値をマイクロコンピュータｂ９が演算処理し、ほこりを検出しているのであれば、ステップ１９で超音波センサー５の検出値をマイクロコンピュータｂ９が演算処理し、壁面までの距離を測定する。ステップ２０で第２の制御部８が壁面までの距離に従って、図４に示すような荷電部３への通電を制御する。ステップ１８でほこりを検出していなければステップ１７に戻り、通常運転を行う。
【００６９】
このように空気中にほこりが有る場合は本体１と壁面との距離に従って荷電部３への通電やファンモーター２の最大風量を変更することで、空気清浄機本体周辺の壁面の汚れを防止できる。
【００７０】
また、空気中にほこりが無い場合は超音波センサー５の検出を行わないことで消費電力を削減することができる。
【００７１】
なお、実施の形態２では汚れ検出手段にほこりセンサーを用いたが、花粉センサーやダストセンサーを用いてもよく、その作用効果に差異を生じない。
【００７２】
（実施の形態３）
実施の形態１あるいは２と同一部分は同一符号を付し詳しい説明は省略する。図９に示すように２つの超音波センサーａ２１と超音波センサーｂ２２を備え、超音波センサーａ２１の距離検出範囲は検出範囲ａ２３であり、超音波センサーｂ２２の距離検出範囲は検出範囲ｂ２４である。また、図１０、図１１に示すように超音波センサーｃ２５を本体の背面に備えている。本体の背面とは、一般に本体の表示部の反対側もしくは本体を設置した場合の壁面側のことである。超音波センサーｃ２５の距離検出範囲は検出範囲ｃ２６である。また、図１２に示すように超音波センサーｄ２７を本体１の吹出口に、超音波センサーｅ２８を本体１の吸込口に備えている。超音波センサーｄ２７の距離検出範囲は検出範囲ｄ２９であり、超音波センサーｅ２８の距離検出範囲は検出範囲ｅ３０である。
【００７３】
上記構成において、２つの超音波センサーａ２１と超音波センサーｂ２２はそれぞれ距離検出方向が異なり、本体１周辺の２つの壁面との距離をそれぞれ検出している。また、超音波センサーｃ２５は本体の背面に備えており、図１０に示すような設置状況や図１１に示すような設置状況でも本体１周辺の壁面との距離を検出している。また、超音波センサーｄ２７は本体１の吹出口方向の壁面との距離を検出し、超音波センサーｅ２８は本体１の吸込口方向の壁面との距離を検出している。
【００７４】
このように空気清浄機本体と壁面との位置関係を把握することができ、空気清浄機本体周辺の壁面の汚れを防止できる。
【００７５】
また、空気清浄機本体周辺の壁面のみを検出できる。
【００７６】
また、帯電した空気中の粒子が付着する恐れのある壁面を精度よく検出できる。
【００７７】
なお、実施の形態３では超音波センサーを２つとしたが、３つ以上でもよく、その作用効果に差異を生じない。
【００７８】
（実施の形態４）
実施の形態１あるいは２と同一部分は同一符号を付し詳しい説明は省略する。図１３に示すように、報知手段としてのブザー３１と、発光表示手段としての液晶３２と、超音波センサー５の検出値を有効または無効にできる切替スイッチ３３を備える。
【００７９】
上記構成において、切替スイッチ３３を有効に切替えると超音波センサー５の検出値をマイクロコンピュータａ７が演算処理し、壁面との距離が一定距離、例えば２０ｃｍ以下の場合は制御部６がブザー３１を鳴動させ、さらに液晶３２を表示させて使用者に知らせる。切替スイッチを無効に切替えると超音波センサー５の検出値をマイクロコンピュータａ７に送信しない。
【００８０】
このように空気清浄機本体の設置場所が、空気清浄機本体周辺の壁面を汚す恐れのある距離であることを使用者は音や光で知ることができる。
【００８１】
また、使用者が送風手段の最大風量や荷電部の通電を制御するか否かを選択することができる。
【００８２】
なお、実施の形態４では発光表示手段として液晶を用いたが、液晶に変えてセグメントＬＥＤを用いても良く、その作用効果に差異を生じない。
【００８３】
なお、実施の形態４では一定距離を２０ｃｍとしたが、ファンモーター２の風が壁面に届く距離を一定距離として制御しても、その作用効果に差異を生じない。
【産業上の利用可能性】
【００８４】
高圧電圧を用いて電気集塵を行う機器に適用することができる。
【図面の簡単な説明】
【００８５】
【図１】本発明の実施の形態１の空気清浄機の一部破断の外観斜視図
【図２】同制御ブロック図
【図３】同壁面までの距離とファンモーターの最大風量の相関図（（イ）同壁面までの距離とファンモーターの最大風量の相関図、（ロ）同壁面までの距離とファンモーターの最大風量の相関図、（ハ）同壁面までの距離とファンモーターの最大風量の相関図）
【図４】同壁面までの距離と荷電部への通電の相関図（（イ）同壁面までの距離と荷電部への通電の相関図、（ロ）同壁面までの距離と荷電部への通電の相関図）
【図５】本発明の実施の形態２の制御ブロック図
【図６】同フローチャート
【図７】同制御ブロック図
【図８】同フローチャート
【図９】本発明の実施の形態３の本体と超音波センサーの配置図
【図１０】同本体と超音波センサーの配置図
【図１１】同本体と超音波センサーの配置図
【図１２】同本体と超音波センサーの配置図
【図１３】本発明の実施の形態４の制御ブロック図
【図１４】従来の空気清浄機の一部破断の外観斜視図
【符号の説明】
【００８６】
１    本体
２    ファンモーター
３    荷電部
４    集塵部
５    超音波センサー
６    制御部
７    マイクロコンピュータａ
８    第２の制御部
９    マイクロコンピュータｂ
１０  ほこりセンサー
２１  超音波センサーａ
２２  超音波センサーｂ
２３  検出範囲ａ
２４  検出範囲ｂ
２５  超音波センサーｃ
２６  検出範囲ｃ
２７  超音波センサーｄ
２８  超音波センサーｅ
２９  検出範囲ｄ
３０  検出範囲ｅ
３１  ブザー
３２  液晶
３３  切替スイッチ
【図１】
2008036516.tif 000003
【図２】
2008036516.tif 000004
【図３】
2008036516.tif 000005
【図４】
2008036516.tif 000006
【図５】
2008036516.tif 000007
【図６】
2008036516.tif 000008
【図７】
2008036516.tif 000009
【図８】
2008036516.tif 000010
【図９】
2008036516.tif 000011
【図１０】
2008036516.tif 000012
【図１１】
2008036516.tif 000013
【図１２】
2008036516.tif 000014
【図１３】
2008036516.tif 000015
【図１４】
2008036516.tif 000016